(57)【要約】      （修正有）【課題】利用者の誤操作による意図しない事故の発生を未然に防ぐとともに、利用停止時間の増加を防ぐ多段式駐車場監視システムを提供する。【解決手段】多段式駐車場装置の操作盤９を使用する利用者の映像情報を取得し、監視する監視端末装置１と、監視端末装置１と送受信可能に接続され、受信した利用者の映像と、予め記憶した複数のメニュー画像とを同一の表示画面に表示するモニター５Ｄ及び当該モニター５Ｄの表示画面上で選択された１つのメニュー画像に対応する音声情報と、出力すべきスピーカー３を抽出し、監視端末装置１に抽出されたスピーカー３を示す選択情報とを送信する制御部５Ｂを含む監視センタ５と、を備え、監視端末装置１は、受信した音声情報と選択情報に基づいて選択されたメニュー画像に対応する注意放送を抽出したスピーカー３から行わせる。【選択図】図３
2017066778.tif 000002
【特許請求の範囲】
【請求項１】
多段に配置された駐車パレット及び前記駐車パレットを操作する操作盤を含む多段式駐車場装置と、
前記操作盤及び当該操作盤を使用する利用者の映像情報を取得するとともに、前記利用者に複数の拡声手段のうちの１つから注意放送を行わせる監視端末装置と、
通信手段を介して前記監視端末装置と送受信可能に接続され、受信した前記利用者の映像情報と、当該映像情報に対応する予め記憶した複数のメニュー画像とを同一の表示画面に表示する表示手段、及び当該表示手段の前記表示画面上で選択された１つのメニュー画像に対応する音声情報と、前記拡声手段の１つをデータ記憶手段から抽出し、前記監視端末装置に前記抽出された拡声手段の１つを示す選択情報とを送信する制御手段を含む監視センタと、
を備え、
前記監視端末装置は、前記監視センタから受信した前記音声情報と前記選択情報に基づいて、抽出された前記拡声手段の１つから前記選択された１つのメニュー画像に対応する注意放送を行わせる多段式駐車場監視システム。
【請求項２】
請求項１に記載の多段式駐車場監視システムにおいて、
前記監視端末装置は、前記取得した映像情報を記憶する映像記憶手段と、接続されている複数のスピーカーからいずれか１つのスピーカーを抽出するとともに、前記選択された１つのメニュー画像に対応する音声情報を前記抽出された１つのスピーカーへ出力する音声記憶手段と、を含む多段式駐車場監視システム。
【請求項３】
請求項１又は２に記載の多段式駐車場監視システムにおいて、
前記操作盤及び当該操作盤を使用する利用者を撮影し、映像情報を取得する監視カメラを備えた多段式駐車場監視システム。
【請求項４】
請求項１ないし３のいずれか１項に記載の多段式駐車場監視システムにおいて、
前記表示手段による表示が、複数の監視カメラによって撮影され、取得された映像情報を複数分割して表示する表示画面と、分割された表示画面から選択された画像に対応する複数のメニュー画像を表示する表示画面と、を含む多段式駐車場監視システム。
【請求項５】
請求項１ないし４のいずれか１項に記載の多段式駐車場監視システムにおいて、
前記表示手段が画面の接触により選択操作が可能なタッチパネルからなる多段式駐車場監視システム。
【発明の詳細な説明】
【技術分野】
【０００１】
本発明は、多段式駐車場監視システムに係り、さらに詳しくは、多段式駐車場設備を監視する監視端末と監視センタとを含む多段式駐車場監視システムに関する。
【背景技術】
【０００２】
駐車パレットを多数備えた多段式駐車場装置において、車の所有者本人が駐車パレットを移動させるための操作盤を設けることが一般化されている。しかし、操作盤の操作担当者を配置せず、車の所有者のみで操作することが可能であるため、安全の確認が疎かになり、操作盤に設けられた非常停止釦が頻繁に利用される場合がある。
【０００３】
このようなことから、例えば、特許文献１には、非常停止釦が操作されてから、所定時間内に非常停止釦を復帰させたとき、異常等のトラブルの発生がなく引き続き平常運転が可能か否かを判定する手段を設け、この判定手段が平常運転可能と判定したとき、装置の緊急停止状態を解除し、平常運転へと復帰する多段式駐車装置が提案されている。
【先行技術文献】
【特許文献】
【０００４】
【特許文献１】特開２００３−２２１９３９号公報
【発明の概要】
【発明が解決しようとする課題】
【０００５】
しかし、特許文献１に記載の技術では、多段式駐車場装置を操作する際に、未だ車の所有者のみで操作可能であることから、当該所有者の誤操作を否定することはできず、この誤操作により意図しない事故につながる可能性がある。また、利用者の判断で非常停止釦が頻繁に操作される場合があることから、多段式駐車場装置の利用停止時間が増加し、他の利用者が車の出し入れをするまでに時間を要してしまうことがある。
【０００６】
そこで、本発明が解決しようとする課題は、利用者の誤操作による意図しない事故の発生を未然に防ぐとともに、利用停止時間の増加を防ぐことができる多段式駐車場監視システムを提供することにある。
【課題を解決するための手段】
【０００７】
前記課題を解決するため、本発明は、多段に配置された駐車パレット及び前記駐車パレットを操作する操作盤を含む多段式駐車場装置と、前記操作盤及び当該操作盤を使用する利用者の映像情報を取得するとともに、前記利用者に複数の拡声手段のうちの１つから注意放送を行わせる監視端末装置と、通信回線を介して前記監視端末装置と送受信可能に接続され、受信した前記利用者の映像情報と、当該映像画像に対応する予め記憶した複数のメニュー画像とを同一の表示画面に表示する表示手段、及び当該表示手段の前記表示画面上で選択された１つのメニュー画像に対応する音声情報と、前記拡声手段の１つをデータ記憶手段から抽出し、前記監視端末装置に前記抽出された拡声手段の１つを示す選択情報とを送信する制御手段を含む監視センタと、を備え、前記監視端末装置は、前記監視センタから受信した前記音声情報と前記選択情報に基づいて、抽出された前記拡声手段の１つから前記選択された１つのメニュー画像に対応する注意放送を行わせる多段式駐車場監視システムを特徴とする。
【発明の効果】
【０００８】
本発明によれば、利用者の誤操作による意図しない事故の発生を未然に防ぐとともに、利用停止時間の増加を防ぐことができる。なお、前記以外の課題、構成及び効果は、以下の実施形態の説明によって明らかにされる。
【図面の簡単な説明】
【０００９】
【図１】本発明の実施形態に係る多段式駐車場装置の要部を示す正面図である。
【図２】図１の多段式駐車場装置の要部を示す側面図である。
【図３】本発明の実施形態に係る多段式駐車場装置を監視する監視システムを示すシステム構成図である。
【図４】一人の利用者が操作盤を使用するときの状態を示す説明図である。
【図５】子供連れの利用者が操作盤を使用するときの状態を示す説明図である。
【図６】同乗者を連れた利用者が操作盤を使用するときの状態を示す説明図である。
【図７】モニターの表示画面に表示された映像データの一例を示す図である。
【図８】図７に示した１つの映像とメニュー画像を１画面に表示したメニュー画面を示す図である。
【発明を実施するための形態】
【００１０】
以下、図面を参照し、本発明の実施形態について説明する。
【００１１】
図１は、多段式駐車場装置の要部を示す正面図、図２は図１の要部を示す側面図である。これらの図において、図示しない建物の設備機器として設置される多段式駐車場装置６は、駐車パレット７及び操作盤９を備えている。駐車パレット７は、利用者が所有する車両８を駐車するためのスペースで、複数設けられている。また、駐車パレット７への車両の移動及び出し入れは、操作盤９によって管理している。操作盤９の対向位置には照明設備１１が設置され、当該照明設備１１には、さらに監視カメラ２及びスピーカー３が取り付けられている。なお、監視カメラ２及びスピーカー３についてこれらを個別にいうときには、かっこ書の添え字（１）、（Ｎ）、（Ｍ）を付して説明する。
【００１２】
図３は本実施形態に係る多段式駐車場装置を監視する監視システムを示すシステム構成図である。本実施形態に係る監視システム１００は、基本的に監視端末装置１と、ネットワーク回線４を介して通信可能に接続された監視センタ５とから構成されている。
【００１３】
監視端末装置１は、映像入力部１Ａ、制御部１Ｂ、音声記憶部１Ｃ、映像記憶部１Ｄ及び通信部１Ｅを備え、制御部１Ｂに、映像入力部１Ａ、音声記憶部１Ｃ、映像記憶部１Ｄ及び通信部１Ｅがそれぞれ接続されている。また、監視端末装置１には、第１ないし第Ｎの複数の監視カメラ２（１）〜２（Ｎ）（Ｎは２以上の整数）、第１ないし第Ｍの複数のスピーカー３（１）〜３（Ｍ）（Ｍは２以上の整数）及び操作盤９が接続されている。操作盤９は、制御部９Ｂ、電源釦９Ａ及び第１のスピーカー３（１）を含む。電源釦９Ａは制御部９Ｂの電源のオン・オフを制御する。制御部９Ｂは監視端末装置１の映像入力部１Ａに接続され、第１のスピーカー３（１）は音声記憶部１Ｃに接続されている。また、第１ないし第Ｎの監視カメラ２（１）〜２（Ｎ）は映像入力部１Ａに接続されている。
【００１４】
監視センタ５は、通信部５Ａ、制御部５Ｂ、画面制御部５Ｂａ、音声選択部５Ｂｂ、データ記憶部５Ｃ及びモニター５Ｄを備え、制御部５Ｂに、通信部５Ａ、画面制御部５Ｂａ、音声選択部５Ｂｂ、データ記憶部５Ｃ及びモニター５Ｄがそれぞれ接続されている。
【００１５】
第１の監視カメラ２（１）は、操作盤９及び多段式駐車場装置６を利用する利用者１０を撮影している。第１の監視カメラ２（１）が撮影した映像データは、図示しない建物内に設置される監視端末装置１へ送信され、通信回線、例えばネットワーク回線４を介して、監視センタ５へ送信される。ネットワーク回線４としては、インターネットの他に例えば公衆回線あるいは専用回線が利用される。
【００１６】
また、図示しない建物の他の箇所にも複数の監視カメラ２が設けられ、他の設備機器であるエレベータの図示しない乗りかご内にも例えば第Ｎの監視カメラ２（Ｎ）が設置されている。これらの監視カメラ２（１）〜２（Ｎ）が撮影した映像データは、図示しない建物内に設置される監視端末装置１へ送信され、ネットワーク回線４を介して、監視センタ５へ送信される。
【００１７】
また、図示しない建物の要所にはスピーカー３が設けられ、設備機器である多段式駐車場装置６を操作する操作盤９の利用者１０に対する案内放送や注意放送を行っている。ここで、第１のスピーカー３（１）は、多段式駐車場装置６を操作する操作盤９に内蔵され、第Ｍのスピーカー３（Ｍ）は図示しない建物に設けられる他の設備機器であるエレベータの図示しない乗りかご内に設けられている。なお、第１のスピーカー３（１）は第１の監視カメラ２（１）に内蔵させても良い。
【００１８】
監視端末装置１は、監視カメラ２の映像データを当該監視カメラ２が接続された映像入力部１Ａから取得する。映像記憶部１Ｄは映像入力部１Ａに接続され、第１ないし第Ｎの監視カメラ２（１）〜２（Ｎ）が撮影した映像データを記憶する。
【００１９】
映像入力部１Ａに接続された制御部１Ｂは、監視端末装置１に設けられる機器に対する指令や制御等を行う。また、通信部１Ｅは、ネットワーク回線４を介して監視センタ５へ監視カメラ２が撮影した映像データを送信するとともに、監視センタ５から送信される情報を受信する。音声記憶部１Ｃは、監視センタ５から受信した制御部１Ｂからの指令信号と音声情報選択信号によって、接続されている複数のスピーカー３（１）〜３（Ｍ）からいずれか１つのスピーカーを抽出若しくは選択し、選択した所定の音声情報を抽出された１つのスピーカー、例えば第１のスピーカー３（１）へ出力する。
【００２０】
監視センタ５の通信部５Ａは、ネットワーク回線４へ接続され、監視端末装置１との情報の送受信を行う。制御手段としての制御部５Ｂは、通信部５Ａに接続され、監視センタ５に設けられる機器に対する指令及び制御等を行う。表示手段としてのモニター５Ｄは、制御部５Ｂに接続され、監視カメラ２が撮影した映像データを表示画面５Ｄａに表示する。画面制御部５Ｂａは、制御部５Ｂに接続され、監視カメラ２（１）〜２（Ｎ）の映像データを表示制御する。また、画面制御部５Ｂａは、モニター５Ｄへ表示された映像データに基づいて、監視員５Ｅがモニター５Ｄの表示画面５Ｄａから選択することによって起動され、メニー画面５Ｄｂを表示させる。
【００２１】
音声情報選択部５Ｂｂは、監視員５Ｅがモニター５Ｄのメニュー画面５Ｄｂを選択することによって予め記憶した音声情報を選択し、その音声情報に基づいて音声放送を行うスピーカー３を選択する音声情報選択信号を出力する。データ記憶部５Ｃは制御部５Ｂ及びモニター５Ｄに接続され、当該データ記憶部５Ｃには、モニター５Ｄに表示するメニュー画面５Ｄｂが予め格納されている。
【００２２】
操作盤９は、監視端末装置１の映像入力部１Ａへ接続され、電源釦９Ａから操作盤９の電源を投入すると、制御部９Ｂがその電源投入を検知し、監視端末装置１へ操作盤９の電源が入ったことを通知する。
【００２３】
大略、前記のように構成された多段式駐車場装置６は、監視システム１００によって監視対象である乗降口を監視する。図４ないし図６はそれぞれ利用者の操作盤９の利用例を示す説明図である。
【００２４】
図４は一人の利用者が操作盤を使用するときの状態を示す説明図である。同図において、利用者１０の１名が操作盤９を使用して多段式駐車場装置６を操作する際、多段式駐車場装置６に接近する人がいないことを確認して、電源釦９Ａをオンし、電源を投入しなければ、多段式駐車場装置６に人が巻き込まれるおそれがある。
【００２５】
図５は子供連れの利用者が操作盤を使用するときの状態を示す説明図である。同図において、子供１０Ａを連れた利用者１０が、操作盤９の電源釦９Ａをオンし、電源を投入すると、稼働中の多段式駐車場装置６に子供１０Ａが近づき、身体が機械に巻き込まれるおそれがある。
【００２６】
図６は同乗者を連れた利用者が操作盤を使用するときの状態を示す説明図である。利用者１０と ３人の同乗者１０Ａ，１０Ｂ，１０Ｃがいる（同乗者１０Ａは図５と同様に子供）場合、利用者１０が操作盤９の電源釦９Ａをオンし、電源を投入すると、利用者１０以外の同乗者１０Ａ,１０Ｂ，１０Ｃが稼働中の多段式駐車場装置６に近づき、身体が多段式駐車場装置６へ巻き込まれるおそれがある。
【００２７】
本実施形態では、このような事故の発生を回避するために、次のような動作を行う。
【００２８】
通常、第１ないし第Ｎの監視カメラ２（１）〜２（Ｎ）で撮影した映像データは、第１ないし第Ｎの監視カメラ２（１）〜２（Ｎ）に接続された映像入力部１Ａが取得し、映像入力部１Ａに接続された映像記憶部１Ｄに記憶される。これと並行して制御部１Ｂが、映像データを通信部１Ｅ及びネットワーク回線４を介して監視センタ５内の通信部５Ａへ送信する。当該通信部５Ａが映像データを受信すると、制御部５Ｂは監視センタ５内に設置されているモニター５Ｄの表示画面５Ｄａに監視カメラ２が撮影した映像を表示する。
【００２９】
モニター５Ｄは、表示画面５Ｄａが４分割されており、各画面へ第１ないし第Ｎの監視カメラ２（１）〜２（Ｎ）で撮影した映像１５Ａ，１５Ｂ，１５Ｃ，１５Ｄを表示する。図７はモニター５Ｄの表示画面５Ｄａに表示された映像１５Ａ，１５Ｂ，１５Ｃ，１５Ｄの一例を示す図である。すなわち、モニター５Ｄの表示画面５Ｄａには、図７に示すように、例えば、操作盤９及び多段式駐車場装置６の利用者１０を撮影した第１の映像１５Ａと、エレベータ乗り囗の近傍を撮影した第２の映像１５Ｂと、エレベータ乗りかご内を撮影した第３の映像１５Ｃと、図示しない建物内にある集合玄関口を撮影した第４の映像１５Ｄが表示される。監視員５Ｅは、通常勤務において図７に示した映像１５Ａ〜１５Ｄをモニター５Ｄの表示画面５Ｄａで確認し、監視する。
【００３０】
この監視状態で、操作盤９の電源釦９Ａが押下されると、操作盤９の制御部９Ｂは監視端末装置１の映像入力部１Ａへ電源が投入されたことを通知する。映像入力部１Ａが、通信部１Ｅからネットワーク回線４を介し、監視センタ５の通信部５Ａへ操作盤９の電源が投入されたことを通知すると、監視センタ５の制御部５Ｂはモニター５Ｄに表示されている操作盤９及び多段式駐車場装置６の利用者１０を撮影した第１の映像１５Ａを強調表示する。これは、利用者１０がまさしく操作盤９を操作している状態であるからである。
【００３１】
監視員５Ｅは、図７に示したモニター５Ｄの画面に表示されている映像のうち、注意放送が必要とされる操作盤９及び多段式駐車場装置６の利用者１０を撮影した第１の映像１５Ａから、利用者１０の付近にいる人物が稼働中の多段式駐車場装置６に近づく可能性を認識する。そこで、監視員５Ｅは注意放送を流すために、モニター５Ｄの表示画面５Ｄａに表示されている前記第１の映像１５Ａの部分に触れると、制御部５Ｂがその情報を画面制御部５Ｂａに通知する。この通知を受けて、画面制御部５Ｂａは、監視員５Ｅが触れた映像に対して出力する音声情報を選択し、これと並行して音声放送を行うスピーカー３（１）〜３（Ｍ）のうちの１つを選択するメニュー画像１５Ｅ，１５Ｆ，１５Ｇをモニター５Ｄに表示する。図８はこの前記第１の映像１５Ａと、これに関連するメニュー画像１５Ｅ，１５Ｆ，１５Ｇを１画面に表示したメニュー画面５Ｄｂを示す図である。なお、図８では、第３及び第４の映像１５Ｃ，１５Ｄの上の層にメニュー画像１５Ｅ，１５Ｆ，１５Ｇを重ねて表示した状態を示している。
【００３２】
監視員５Ｅは、モニター５Ｄに表示したメニュー画面５Ｄａに表示されている３つのメニュー画像１５Ｅ，１５Ｆ，１５Ｇと、操作盤９及び多段式駐車場装置６の利用者１０を撮影した第１の映像１５Ａと比較し、メニュー画像１５Ｅ，１５Ｆ，１５Ｇのいずれかを選択する。メニュー画像１５Ｅ，１５Ｆ，１５Ｇのいずれかを選択すると、音声情報選択部５Ｂｂは、データ記憶部５Ｃから選択されたメニュー画像１５Ｅ，１５Ｆ，１５Ｇに該当する音声情報と、音声放送を行うスピーカー３（１）〜３（Ｍ）の１つを示す選択情報を抽出する。
【００３３】
選択は、例えば監視員５Ｅが画面に触れる（タッチ）ことにより行うことが可能である。そのため、本実施形態では、モニター５Ｄとしてタッチパネルを用いている。なお、タッチパネルに代えて、マウス等のポインティングデバイスを使用することもできる。
【００３４】
音声情報選択５Ｂｂが音声情報と選択情報を抽出すると、制御部５Ｂは、通信部５Ａ、ネットワーク回線４を介して、監視端末装置１の通信部１Ｅへ前記音声情報と前記選択情報を含む音声情報選択信号を送信する。通信部１Ｅが音声情報選択信号を受信すると、監視端末装置１内の制御部１Ｂは、通信部１Ｅが受信した音声情報選択信号に基づいて音声放送を行う複数のスピーカー３（１）〜３（Ｍ）の１つを選択し、当該選択したスピーカー３（１）〜３（Ｍ）の１つへ音声出力を行うよう音声記憶部１Ｃへ指令を出す。この指令に基づいて、操作盤９付近に設置している第１のスピーカー３（１）から例えば「駐車場が動作するため、駐車場から離れてください。」という音声放送を行う。これにより、駐車場の駐車パレット付近にいる人に対して注意を喚起することができ、利用者の安全性の向上を図ることができる。
【００３５】
以上説明したように、本実施形態によれば、次のような効果を奏する。なお、以下の説明では、本実施形態の各部と特許請求の範囲における各構成要素とを対応させ、用語が異なる場合には、後者をかっこ書きで示す。
【００３６】
（１）本実施形態は、多段に配置された駐車パレット７及び前記駐車パレット７を操作する操作盤９を含む多段式駐車場装置６と、前記操作盤９及び当該操作盤９を使用する利用者１０の映像情報を取得するとともに、前記利用者１０に複数のスピーカー３（拡声手段）のうちの１つから注意放送を行わせる監視端末装置１と、ネットワーク回線４（通信回線）を介して前記監視端末装置１と送受信可能に接続され、受信した前記利用者１０の第１ないし第４の映像１５Ａ〜１５Ｄ（映像情報）と、当該第１ないし第４の映像１５Ａ〜１５Ｄに対応する予め記憶した複数のメニュー画像１５Ｅ,１５Ｆ，１５Ｇとを同一の表示画面５Ｄａに表示するモニター５Ｄ（表示手段）、及び当該モニター５Ｄの前記表示画面５Ｄａ上で選択された１つのメニュー画像１５Ｅ,１５Ｆ，１５Ｇに対応する音声情報と、前記スピーカー３の１つをデータ記憶部５Ｃ（データ記憶手段）から抽出し、前記監視端末装置１に前記抽出されたスピーカー３の１つを示す選択情報とを送信する制御部５Ｂ（制御手段）を含む監視センタ５と、を備え、前記監視端末装置１は、前記監視センタ５から受信した前記音声情報と前記選択情報に基づいて、抽出された前記スピーカー３の１つから前記選択された１つのメニュー画像１５Ｅ，１５Ｆ，１５Ｇに対応する注意放送を行わせる多段式駐車場監視システム１００を特徴としている。
【００３７】
このように構成すると、監視センタ５に設置されたモニター５Ｄで現在撮影中の映像と、モニター５Ｄ上で選択できるメニュー両面５Ｄｂに表示されているメニュー画像１５Ｅ，１５Ｆ，１５Ｇを目視で比較し、事故発生のおそれがあるメニュー画像１５Ｅ，１５Ｆ，１５Ｇを選択することができる。この選択により、選択されたメニュー画像１５Ｅ,１５Ｆ，１５Ｇに対応する注意放送を前記抽出されたスピーカー３から利用者に向かって行うことができる。その結果、利用者の判断で非常停止釦が頻繁に操作される前に、状況に応じて適切な音声情報と音声放送を行うべきスピーカーを抽出し、音声による注意放送を行うことができるので、利用停止時間の増加を防ぐことが可能となる。
【００３８】
さらに、本実施形態では、撮影している映像と、メニュー画面５Ｄｂに表示されているメニュー画像１５Ｅ，１５Ｆ，１５Ｇを比較し、適当な画像を選択するだけでよいため、視覚機能が十分であれば、聴覚機能に障害があったとしても監視センタ５で監視員５Ｅとして監視業務を行うことができる。
【００３９】
また、本実施形態では、選択されたメニュー画像１５Ｅ，１５Ｆ，１５Ｇに応じて適切な音声情報と音声放送を行うべきスピーカーを抽出し、音声による注意放送を行うことができる。これにより、高度なスキルを要することなく、モニター５Ｄ上の選択操作だけで、意図しない事故の発生を未然に防ぐことが可能となる。
【００４０】
（２）前記監視端末装置１が、前記取得した映像情報を記憶する映像記憶部１Ｄ（映像記憶手段）と、接続されている複数のスピーカー３の中から１つのスピーカーを抽出するとともに、前記選択された１つのメニュー画像１５Ｅ,１５Ｆ，１５Ｇに対応する音声情報を前記選択された１つのスピーカー３へ出力する音声記憶部１Ｃ（音声記憶手段）と、を備えているので、監視センタ５側からの音声情報及び選択情報に基づいて、監視端末装置１側で、注意放送の内容と、出力するスピーカー３を決定して注意放送を行うことができる。
【００４１】
（３）前記操作盤９及び当該操作盤９を使用する利用者１０を撮影し、映像情報を取得する監視カメラ２を備えているので、従来から使用されている監視カメラ２を利用して必要な映像情報を取得することができる。
【００４２】
（４）前記モニター５Ｄによる表示が、複数の監視カメラ２によって撮影され、取得された第１ないし第４の映像１５Ａ〜１５Ｄ（映像情報）を複数分割して表示する表示画面５Ｄａと、分割された表示画面５Ｄａから選択された画像に対応する複数のメニュー画像１５Ｅ，１５Ｆ，１５Ｇを表示するメニュー画面５Ｄｂ（表示画面）と、を含むので、メニュー画像１５Ｅ，１５Ｆ，１５Ｇを表示するメニュー画面５Ｄｂから表示画面５Ｄａに表示された第１ないし第４の映像１５Ａ〜１５Ｄ（映像情報）から映像監視を行っている現場の状況に対応するメニュー画像１５Ｅ，１５Ｆ，１５Ｇをメニュー画面５Ｄｂから選択するだけで、必要な注意放送を監視端末装置１側から行わせることができる。
【００４３】
（５）前記モニター５Ｄ（表示手段）が画面の接触により選択操作が可能なタッチパネルからなるので、例えば監視員５Ｅが画面に触れる（タッチ）ことにより選択操作が可能である。そのため、映像監視を行っている現場において、適当な注意放送を行うにあたり、監視センタ５に設置されたモニター５Ｄにて現在撮影中の映像と、モニター５Ｄ上で選択できるメニュー両面５Ｄｂに表示されているメニュー画像１５Ｅ，１５Ｆ，１５Ｇを目視にて比較し、事故発生のおそれがあるメニュー画像１５Ｅ，１５Ｆ，１５Ｇを選択することができる。また、タッチパネルに代えて、マウス等のポインティングデバイスを使用することもできる。
【００４４】
なお、上記実施形態では、図４に示した多段式駐車場装置６での危険状況に関して記載しているが、図５あるいは図６に示した危険状況においても同様に適用することができる。
【００４５】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４６】
１  監視端末装置
１Ｃ音声記憶部（音声記憶手段）
１Ｄ映像記憶部（映像記憶手段）
２  監視カメラ
３  スピーカー（拡声手段）
４  ネットワーク回線（通信回線）
５  監視センタ
５Ｂ  制御部（制御手段）
５Ｃデータ記憶部（データ記憶手段）
５Ｄ  モニター（表示手段）
５Ｄａ  表示画面
５Ｄｂ  メニュー両面
６  多段式駐車場装置
７  駐車パレット
９  操作盤
１０  利用者
１５Ａ，１５Ｂ，１５Ｃ，１５Ｄ  映像（映像情報）
１５Ｅ,１５Ｆ，１５Ｇ  メニュー画像
１００  多段式駐車場監視システム
【図１】
2017066778.tif 000003
【図２】
2017066778.tif 000004
【図３】
2017066778.tif 000005
【図４】
2017066778.tif 000006
【図５】
2017066778.tif 000007
【図６】
2017066778.tif 000008
【図７】
2017066778.tif 000009
【図８】
2017066778.tif 000010